(57)【特許請求の範囲】
【請求項１】
災害発生時の医療対策を総合的に管理する災害医療情報センターに設置され、被災情報を収集すると共に予め所定地域の地図情報と医師情報を保有する集中管理装置と、医師が携帯する携帯端末とにより構成された医師派遣システムにおいて、
上記集中管理装置が災害発生時に上記携帯端末に緊急信号を送信し、
上記緊急信号を受信した上記携帯端末が、ＧＰＳ（Ｇｌｏｂａｌ  Ｐｏｓｉｔｉｏｎｉｎｇ  Ｓｙｓｔｅｍ）を利用して自己の所在地を検出して、その位置情報を上記集中管理装置に通知し、
通知を受けた上記集中管理装置が、収集した上記被災情報、予め保有する上記地図情報と医師情報及び通知された上記医師の位置情報とに基づき、被災者の数と被災程度に見合った医師の選択と人数、各医師が目的地に向かうための時間、交通網の被害状況を考慮して、被災者の収容場所に派遣する医師の割当を行い、上記医師に派遣指示を行うことを特徴とする医師派遣システム。
【請求項２】
医師への派遣指示を上記医師が乗車している乗用車に設置されたカーナビゲーションに表示することを特徴とする請求項１記載の医師派遣システム。
【請求項３】
災害発生時に収集した被災情報を格納する被災情報格納手段と、
予め所定地域の地図情報を格納する地図情報格納手段と、
予め所定地域の医師情報を格納する医師情報格納手段と、
医師に災害発生を知らせて上記医師の現所在地を通知するよう求める緊急信号発生手段と、
上記医師より送信された上記医師の現所在地を示す位置情報を格納する位置情報格納手段と、
上記被災情報、上記地図情報、上記医師情報及び上記位置情報とに基づき、被災者の数、被災程度に見合った医師の選択と人数と各医師が目的地に向かうための時間、交通網の被害状況を考慮して、被災者の収容場所に派遣する医師の割当を行い、医師に派遣指示を行う制御手段とを備えたことを特徴とする医師派遣システムの集中管理装置。
【請求項４】
所定地域に存在する病院、これらの病院が保有する医療機材、医薬品等の情報を予め格納する施設情報格納手段を備え、
制御手段が持参すべき医療機材、医薬品等の情報を医師に通知することを特徴とする請求項３記載の医師派遣システムの集中管理装置。
【発明の詳細な説明】
【０００１】
【発明の属する技術分野】
この発明は、災害発生時に医師の現所在地を即座に把握し、必要な医師を被災者が収容されている場所に的確に派遣する医師派遣システム及び医師派遣システムの集中管理装置に関するものである。
【０００２】
【従来の技術】
地震等の災害が発生し大勢の被災者が出た場合、被災者を救済するために必要な医師を目的地に速やかに派遣する必要があるが、災害対策本部や病院等が電話等により各医師に連絡をとり派遣を要請している。
【０００３】
【発明が解決しようとする課題】
しかし各医師に連絡を取ろうとしても、電話等の公衆回線も被害に遭っていたり、回線が異常に混んでいたり、医師が不在のため連絡が取れなかったり、連絡が取れたとしても、必要な医師全てに連絡するには、非常に時間がかかってしまい、集中的な派遣体制を速やかに取ることが非常に困難であるという課題があった。
【０００４】
この発明は上記のような課題を解決するためになされたもので、災害が発生した場合、医師の現所在地を速やかに把握し、被災者の収容場所への医師の派遣指示を的確に行うことを目的とする。
【０００５】
【課題を解決するための手段】
この発明に係る医師派遣システムは、災害発生時の医療対策を総合的に管理する災害医療情報センターに設置され、被災情報を収集すると共に予め所定地域の地図情報と医師情報を保有する集中管理装置と、医師が携帯する携帯端末とにより構成されたものにおいて、上記集中管理装置が災害発生時に上記携帯端末に緊急信号を送信し、上記緊急信号を受信した上記携帯端末が、ＧＰＳ（Ｇｌｏｂａｌ  Ｐｏｓｉｔｉｏｎｉｎｇ  Ｓｙｓｔｅｍ）を利用して自己の所在地を検出して、その位置情報を上記集中管理装置に通知し、通知を受けた上記集中管理装置が、収集した上記被災情報、予め保有する上記地図情報と医師情報及び通知された上記医師の位置情報とに基づき、被災者の数と被災程度に見合った医師の選択と人数、各医師が目的地に向かうための時間、交通網の被害状況を考慮して、被災者の収容場所に派遣する医師の割当を行い、上記医師に派遣指示を行うようにしたものである。
【０００６】
この発明に係る医師派遣システムは、医師への派遣指示を上記医師が乗車している乗用車に設置されたカーナビゲーションに表示するようにしたものである。
【０００７】
この発明に係る医師派遣システムの集中管理装置は、災害発生時に収集した被災情報を格納する被災情報格納手段と、予め所定地域の地図情報を格納する地図情報格納手段と、予め所定地域の医師情報を格納する医師情報格納手段と、医師に災害発生を知らせて上記医師の現所在地を通知するよう求める緊急信号発生手段と、上記医師より送信された上記医師の現所在地を示す位置情報を格納する位置情報格納手段と、上記被災情報、上記地図情報、上記医師情報及び上記位置情報とに基づき、被災者の数と被災程度に見合った医師の選択と人数、各医師が目的地に向かうための時間、交通網の被害状況を考慮して、被災者の収容場所に派遣する医師の割当を行い、医師に派遣指示を行う制御手段とを備えたものである。
【０００８】
この発明に係る医師派遣システムの集中管理装置は、所定地域に存在する病院、これらの病院が保有する医療機材、医薬品等の情報を予め格納する施設情報格納手段を備え、制御手段が持参すべき医療機材、医薬品等の情報を医師に通知するようにしたものである。
【００１１】
【発明の実施の形態】
以下、この発明の実施の一形態を説明する。
実施の形態１．
図１はこの発明の実施の形態１による医師派遣システムの全体構成図である。図において、１は災害発生時の医療対策を総合的に一元管理する災害医療情報センターに設置された集中管理装置であり、この医師派遣システムのサービスエリアにおける地図情報と医師や病院等の医療情報を予め保有し、災害発生時の被災情報を収集すると共に、病院等の被災者の収容場所への医師の派遣割当・指示を行う。２は病院や被災地に設置され、災害医療情報センターに設置された集中管理装置１との通信を行うデータ通信装置、３は医師が携帯している携帯端末、４は医師の乗用車に設置されたカーナビゲーションである。
【００１２】
５は緊急医療用チャンネル対応の人工衛星、６はインターネットであり、それぞれ災害医療情報センターと病院・被災地や医師との間の通信を中継する。７はＧＰＳ（Ｇｌｏｂａｌ  Ｐｏｓｉｔｉｏｎｉｎｇ  Ｓｙｓｔｅｍ）用の人工衛星である。
【００１３】
図２はこの発明の実施の形態１による災害医療情報センターに設置された集中管理装置１の構成図である。図において、１１は病院・被災地や医師との間の通信を行う送受信部、１２は病院・被災地や医師との間の通信を制御する通信サーバであり、病院・被災地から送信された被災情報を格納する被災情報格納部（被災情報格納手段）１２１、災害発生時に医師の携帯端末３に対して送信する緊急信号を発生する緊急信号発生部（緊急信号発生手段）１２２、携帯端末３から送信された医師の位置情報を格納する位置情報格納部（位置情報格納手段）１２３を有している。
【００１４】
また１３は災害医療情報センターのサービスエリアの地図情報を管理する地図サーバであり、予め所定の地図を格納した地図情報格納部（地図情報格納手段）１３１を有している。１４は災害医療情報センターのサービスエリアにおける医療情報を管理する医療情報サーバであり、医師の専門、経歴等の医師情報を予め格納した医師情報格納部（医師情報格納手段）１４１と、病院、医療機材、医薬品、ベット数等の施設情報を予め格納した施設情報格納部（施設情報格納手段）１４２とを有している。
【００１５】
また１５はこの集中管理装置１が取り扱う各種情報等を表示する表示部、１６は被災者の収容場所に派遣する医師の割り当てを行うと共に、この集中管理装置１における全体の制御を行う制御部（制御手段）である。
【００１６】
図３はこの発明の実施の形態１による携帯端末３の構成図である。図において、３１は集中管理装置１から送信された緊急信号を受信する緊急信号受信部（緊急信号受信手段）、３２はＧＰＳ用の人工衛星７からの信号を受信し医師の位置を検出するＧＰＳデコーダ部（ＧＰＳデコーダ手段）、３３はＧＰＳデコーダ部３２が検出した医師の位置を集中管理装置１へ送信する位置情報送信部（位置情報送信手段）、３４はこの携帯端末３における全体の制御を行う端末制御部、３５はＰＨＳ等の電話機能を有する電話機能部である。なお上記緊急信号受信部３１は、携帯端末３の電源がオフになっていても、緊急信号を受信することができ、緊急信号を受信すると装置の電源がオンになるよう構成されている。
【００１７】
次に動作について説明する。
図４は実施の形態１の動作を示すフローチャートである。ステップＳＴ１において、災害医療情報センターに設置されている集中管理装置１は、災害が発生すると、各病院や被災地のデータ通信装置２等により時事刻々と通知される被災者や道路、建物、交通手段等の被災情報を収集し、通信サーバ１２の被災情報格納部１２１に格納する。
【００１８】
ステップＳＴ２において、集中管理装置１の通信サーバ１２の緊急信号発生部１２２が緊急信号を発生し、送受信部１１は医師が携帯している携帯端末３に緊急信号を送信して、災害発生を通知すると共に各医師の現所在位置を知らせるよう要請する。この場合、緊急信号は緊急医療用チャンネル対応の人工衛星５やインターネット６を経由して送信される。
【００１９】
次にステップＳＴ３において、携帯端末３の緊急信号受信部３１は、集中管理装置１から送信された緊急信号を受信する。この場合緊急信号受信部３１は、携帯端末３の電源がオフになっていても受信が可能であり、緊急信号を受信すると装置の電源が入り、携帯端末全体が動作可能となる。そしてＧＰＳデコーダ部３２が、ＧＰＳ用の人工衛星７から送信されている信号を受信し、医師の現所在地を検出する。
【００２０】
そしてステップＳＴ４において、携帯端末３の位置情報送信部３３は、ＧＰＳデコーダ部３２が検出した医師の現所在地を位置情報として、人工衛星５やインターネット６を経由して集中管理装置１に送信する。上記ステップＳＴ３及びＳＴ４の各動作は、端末制御部２４の制御のもとで行われる。
【００２１】
ステップＳＴ５において、集中管理装置１が携帯端末３から送信された医師の位置情報を受信すると、通信サーバ１２の位置情報格納部１２３にその位置情報を格納すると共に表示部１５に表示する。そしてこの集中管理装置１のオペレータの指示のもと、制御部１６は、被災情報格納部１２１に格納されている被災情報、予め地図情報格納部１３１に格納されている地図情報、予め医師情報格納部１４１に格納されている医師情報、予め施設情報格納部１４２に格納されている病院、医療機器、医薬品、ベット数等の施設情報及び受信した医師の位置情報をもとに、各被災地に派遣する医師の割当を行うと共に、各医師が持参すべき医療機材、薬品等を抽出する。この医師の割当にあたっては、被災者の数と被災程度に見合った医師の選択と人数、各医師が目的地に向かうための時間や交通網の被害状況等も考慮して割当を行う。
【００２２】
ステップＳＴ６において、集中管理装置１の制御部１６は、ステップＳＴ５で割り当てた結果に基づき、送受信部１１より、各医師が保有している携帯端末３に対し派遣指示を行う。派遣指示の具体的内容として、派遣される病院等の被災者の収容場所、持参すべき医療機材・薬品、目的地の位置情報、目的地へ行くための交通手段や経路等を通知する。この場合、人工衛星５やインターネット６を経由し、携帯端末３の電話機能部２５を使用し各医師へ連絡する。
【００２３】
また上記ステップＳＴ６において、制御部１６は、医師が乗車している乗用車のカーナビゲーション４に医師の位置、派遣地を示す地図情報を送信しナビゲートしても良い。
【００２４】
以上のように、この実施の形態１によれば、集中管理装置１が災害が発生した場合の対応処置に必要な各種の情報を一元管理すると共に、医師の所在位置を即座に把握し、被災者の状況に対応した医師の派遣を行うことができるという効果が得られる。
【００２５】
この実施の形態では、携帯端末３を医師が保有し、医師情報格納部１４１が医師情報を格納しているが、携帯端末３を医師の他に看護婦も保有し、医師情報格納部１４１が医師情報の他に看護婦情報も保有し、制御部１６が看護婦に対しても派遣割当・指示を行えば、より効果的な医師派遣システムを得ることができる。
【００２６】
【発明の効果】
以上のように、この発明によれば、災害が発生した場合に、医師の所在位置を即座に把握し、被災者の状況に対応した医師の派遣を行うことができるという効果がある。
【図面の簡単な説明】
【図１】  この発明の実施の形態１による医師派遣システムの全体構成図である。
【図２】  この発明の実施の形態１による集中管理装置の構成図である。
【図３】  この発明の実施の形態１による携帯端末の構成図である。
【図４】  この発明の実施の形態１の動作手順を示すフローチャートである。
【符号の説明】
１  集中管理装置、３  携帯端末、４  カーナビゲーション、１６  制御部（制御手段）、３１  緊急信号受信部（緊急信号受信手段）、３２  ＧＰＳデコーダ部（ＧＰＳデコーダ手段）、３３  位置情報送信部（位置情報送信手段）、１２１  被災情報格納部（被災情報格納手段）、１２２  緊急信号発生部（緊急信号発生手段）、１２３  位置情報格納部（位置情報格納手段）、１３１  地図情報格納部（地図情報格納手段）、１４１  医師情報格納部（医師情報格納手段）、１４２  施設情報格納部（施設情報格納手段）。
【図１】
0004008076.tif 000002
【図２】
0004008076.tif 000003
【図３】
0004008076.tif 000004
【図４】
0004008076.tif 000005